(57)【要約】【課題】超音波振動によるキャビテーション作用により、的確に歯垢を除去することができ、しかも超音波振動の伝達効率が優れた超音波歯ブラシを提供すること。【解決手段】超音波信号発生手段７と、該超音波信号発生手段７からの信号により超音波を発生する超音波振動子８と、該超音波振動子８からの振動を伝達するホーン３とを有する本体部１と、ブラシ毛５が植毛されたブラシヘッド部２Ａと該ブラシヘッド部２Ａに一体固定された状態でホーン３からの振動を受止める受振板４を有するブラシ部２と、本体に機械的振動を与えるバイブモータ２１とを備え、ブラシ部２は本体部１に対して、ホーン３の先端部及び本体部１の頭部９との二箇所にて支持され脱着可能に取付けられている超音波歯ブラシ。【選択図】　　図２
2004041691.tif 000002
【特許請求の範囲】
【請求項１】
超音波信号発生手段と、該超音波信号発生手段からの信号により超音波を発生する超音波振動子と、該超音波振動子からの振動を伝達するホーンとを有する本体部と、ブラシ毛が植毛されたブラシヘッド部と該ブラシヘッド部に一体固定された状態でホーンからの振動を受止める受振板を有するブラシ部と、本体に機械的振動を与えるバイブモータとを備え、ブラシ部は本体部に対して、ホーンの先端部及び本体部の頭部との二箇所にて支持され脱着可能に取付けられていることを特徴とする超音波歯ブラシ。
【請求項２】
ホーンは縮小部を有しており、この縮小部がブラシヘッドの内壁部に形成されたリブ状突起と受振板との間にて圧接されて取り付けられるものであることを特徴とする請求項１記載の超音波歯ブラシ。
【請求項３】
ホーンの縮小部の先端には、傾斜を有するテーパ部が形成されており、このテーパ部によりホーンがリブ状突起の上に容易に案内されるものであることを特徴とする請求項２記載の超音波歯ブラシ。
【請求項４】
ホーンの縮小部は、断面が半円形になっており、この円弧の部分に複数の切り欠き溝が形成されていることを特徴とする請求項２記載の超音波歯ブラシ。
【請求項５】
切り欠き溝は３個でありその少なくとも一つが受振板と対応する位置に配置されていることを特徴とする請求項４記載の超音波歯ブラシ。
【請求項６】
ホーンが本体部の頭部先端から突出する部分においては、ブラシヘッド部内の空隙を通して液が本体部の中に逆流しないように、可撓性パッキングにより封鎖されていることを特徴とする請求項１記載の超音波歯ブラシ。
【請求項７】
ブラシ部は、ブラシヘッド部と該ブラシヘッド部からやや末広がりに下方に延びている中空の脚部とを有し、該脚部は端部に一対の舌片を備えており、この一対の舌片が、本体の頭部に形成された一対の受け溝に外側から圧入されて取り付けられるものであることを特徴とする請求項１記載の超音波歯ブラシ。
【請求項８】
受振板はブラシヘッド部を通過して外部に露出し、該露出した部分にブラシ毛が植毛されていることを特徴とする請求項１記載の超音波歯ブラシ。
【請求項９】
超音波歯ブラシが更にイオン発生手段を備え、該イオン発生手段の電極部がブラシ毛の植え込み方向とは垂直方向にある本体外表面の位置に設けられていることを特徴とする請求項１記載の超音波歯ブラシ。
【発明の詳細な説明】
【０００１】
【発明の属する技術分野】
本発明は、歯ブラシに関し、更に詳しくは、超音波エネルギーによるキャビテーションを効率良く発生させて、それにより歯から歯垢を、容易に除去することができる超音波歯ブラシに関するものである。
【０００２】
【従来の技術】
従来から歯の汚れを除去するための方法として、柄部の先にブラシ毛が植毛された歯ブラシを使ってブラッシングする方法がある。
これは、歯にブラシ毛を、直接、接触させた状態で歯の表面を機械的に磨くものである。
しかし、このような歯ブラシは、人の手によって動かすものであることから、その速さに限度があり十分な清掃効果が得られなく、特に幼児等においては、満足する効果が期待できない。
また、より確実に磨こうとすると、少なくとも１０分以上の時間が必要となり、必ずしも効率的ではない。
【０００３】
このようなことから、効率よく歯を磨こうとする観点から、超音波を利用した歯ブラシが開発されている。
例えば、特開昭６３−１０９８０７号公報の超音波歯ブラシは、柄体に内設された振動子からの超音波振動を超音波伝導性のある金属棒によって、ブラシ部に植毛されているブラシ毛に伝達するものである　（特許文献１参照）。
このブラシ毛に伝達された超音波振動は、口腔内の唾液や液状化した歯磨き剤中にキャビテーションを発生させ、歯の表面に付着した歯垢細菌のバクテリアの繊毛や不溶性グルカンを破壊し、連鎖を解くことでも歯垢を除去する。
従って、毛先磨きのみの効果に加え、歯の表面にキャビテーションを発生させ歯垢を除去するために、極めて効率的である。
【０００４】
この歯ブラシの圧電セラミック振動子には、頚部（すなわち、柄体とブラシ部とを連設する中空構造を備えた部分）と柄体部との螺着時に頚部内を貫通するように、超音波伝導性の導波金属棒が突設されている。
そして、頚部と柄体部との螺着時に導波金属棒先端と超音波の伝導可能に接続される導波金属ソケットが、頚部の頭部側に埋設されている。
【０００５】
さらに、頭体に、導波金属ソケットに延設されるように超音波伝導性の導波金属板が埋設され、その導波金属板に、超音波が伝導可能なようにブラシの根部が固着或いは接続されると共にその上部が頭体表面から外部に突設されている。
このような構造であるために、超音波の振動伝達が、超音波振動子から導波金属棒、導波金属ソケット、導波金属板を経て、ブラシの根部に至るので、４箇所の接合点にて摩擦熱が発生する欠点（すなわち超音波振動エネルギーが摩擦熱エネルギーに拡散する欠点）があり、超音波振動の伝達効率から見た場合、必ずしも十分ではない。
【０００６】
この歯ブラシでは、超音波伝導路において空隙が生じうる接続部分や固着部分には、必要に応じて水、グリセリンその他の超音波透過性媒質を介在させるものであるが、超音波振動の伝達効率は変わらない。
しかも、頚部と柄体部とが螺着されているために、取り付ける際に頚部を回転させた場合、導波金属棒と導波金属ソケットとの間に磨耗が発生し易い。
頚部の取り替えを何度も行うと、柄体部の導波金属棒がすり減り、以後、頚部への超音波振動の伝達が悪くなる。
【０００７】
【特許文献１】
特開昭６３−１０９８０７号公報
【０００８】
【発明が解決しようとする課題】
本発明は、かかる実状を背景に、上記の問題点を克服するためになされたものである。
すなわち、本発明の目的は、超音波振動によるキャビテーション作用により、的確に歯垢を除去することができ、しかも超音波振動の伝達効率が優れた超音波歯ブラシを提供することである。
【０００９】
【課題を解決するための手段】
かくして、本発明者は、このような課題背景に対して、鋭意研究を重ねた結果、ブラシ部を本体部に対して極力接触部分を少なくするように、ホーンの先端部及び本体部の頭部との二箇所にて支持することで、超音波振動の伝達効率を向上させることができることを見出し、この知見に基づいて本発明を完成させたものである。
【００１０】
即ち、本発明は、（１）、超音波信号発生手段と、該超音波信号発生手段からの信号により超音波を発生する超音波振動子と、該超音波振動子からの振動を伝達するホーンとを有する本体部と、ブラシ毛が植毛されたブラシヘッド部と該ブラシヘッド部に一体固定された状態でホーンからの振動を受止める受振板を有するブラシ部と、本体に機械的振動を与えるバイブモータとを備え、ブラシ部は本体部に対して、ホーンの先端部及び本体部の頭部との二箇所にて支持され脱着可能に取付けられている超音波歯ブラシに存する。
【００１１】
そして、（２）、ホーンは縮小部を有しており、この縮小部がブラシヘッドの内壁部に形成されたリブ状突起と受振板との間にて圧接されて取り付けられるものである超音波歯ブラシに存する。
【００１２】
そしてまた、（３）、ホーンの縮小部の先端には、傾斜を有するテーパ部が形成されており、このテーパ部によりホーンがリブ状突起の上に容易に案内されるものである超音波歯ブラシに存する。
【００１３】
そしてまた、（４）、ホーンの縮小部は、断面が半円形になっており、この円弧の部分に複数の切り欠き溝が形成されている超音波歯ブラシに存する。
【００１４】
そしてまた、（５）、切り欠き溝は３個でありその少なくとも一つが受振板と対応する位置に配置されている超音波歯ブラシに存する。
【００１５】
そしてまた、（６）、ホーンが本体部の頭部先端から突出する部分においては、ブラシヘッド部内の空隙を通して液が本体部の中に逆流しないように、可撓性パッキングにより封鎖されている超音波歯ブラシに存する。
【００１６】
そしてまた、（７）、ブラシ部は、ブラシヘッド部と該ブラシヘッド部からやや末広がりに下方に延びている中空の脚部とを有し、該脚部は端部に一対の舌片を備えており、この一対の舌片が、本体の頭部に形成された一対の受け溝に外側から圧入されて取り付けられるものである超音波歯ブラシに存する。
【００１７】
そしてまた、（８）、受振板はブラシヘッド部を通過して外部に露出し、該露出した部分にブラシ毛が植毛されている超音波歯ブラシに存する。
【００１８】
そしてまた、（９）、超音波歯ブラシが更にイオン発生手段を備え、該イオン発生手段の電極部がブラシ毛の植え込み方向とは垂直方向にある本体外表面の位置に設けられている超音波歯ブラシに存する。
【００１９】
本発明は、この目的に沿ったものであれば、上記１〜９の中から選ばれた２つ以上を組み合わせた構成も当然採用可能である。
【００２０】
【発明の実施の形態】
以下、本発明の実施形態を図面に基づいて説明する。
本発明の超音波歯ブラシは、超音波エネルギーにより、歯の表面に歯垢を除去するのに十分なキャビテーションを発生させて歯垢をより効果的に除去する機能を有する。
【００２１】
図１は、本発明の実施の形態の超音波歯ブラシを示す外観図である。
また、図２は、超音波歯ブラシの前半部分を示す断面図であり、（Ａ）は平面断面図、（Ｂ）は側面断面図である。
【００２２】
この歯ブラシは、超音波振動の発生手段とその振動を伝達するホーン３とを備えた本体部１と、ホーン３からの振動を受信する受振板４とブラシ毛５が植毛されたブラシヘッド部２Ａとを備えたブラシ部２とからなる。
超音波振動の発生手段には、超音波信号発生手段７と該超音波信号発生手段７からの信号により超音波を発生する超音波振動子８が備えられている。
超音波信号発生手段７には、全体を制御する制御部１３と、超音波信号を発生する超音波発信器１４と、超音波発信時間を制御するタイマー部１５と、イオン発生用の電流を制御するイオン電流制御部２０と、機械的振動を与えるバイブモータ２１と、電源部１６とが、備えられている（図３参照）。
【００２３】
電源部１６には、充電可能な充電池１７と、充電端子１８と、充電時に充電端子１８からの充電池１７に対する充電を制御する充電制御部１９とが、備えられている。
制御部１３は、超音波歯ブラシの状態を制御するもので、本体部１の外側に設けられている電源スイッチ１０（図１参照）と、タイマー部１５と、電源部１６とからの信号が入力されている。
電源に関して制御部１３は、本体部１の外側に設けられている電源スイッチ１０からの信号が入力され、その信号を基に電源のＯＮ／ＯＦＦがされる。
【００２４】
また、電源スイッチ１０には、自照式のＬＥＤ（図示せず）が設けられており、電源がＯＮ時には発光し、電源がＯＦＦ時にはそれが消える。
そして、ＯＮ時の状態においては、バイブモータの回転が遅い場合（すなわち機械的振動を手で弱く感じる場合）に青、バイブモータの回転が速い場合（すなわち機械的振動を手で強く感じる場合）に赤となるように２段階の切替えが採用されている。
また充電池の起電力が不足すると、使用中、ＬＥＤは消えて充電が必要なことを知らせる。
ちなみに、ホーンによる超音波振動は、手に殆ど感じないために使用者は、歯を磨いている感じを必ずしも十分受け止めることができない。
そのため、バイブモータによる振動感を与えているのである。
【００２５】
逆に制御部１３は、電源部１６からの充電が完了した信号を検知するとＬＥＤを緑色に点滅させ充電が終了したことを知らせる。
この電源部１６の充電池１７は、本体部１が充電スタンド（図示せず）に装着されると充電端子１８を介して充電される。
この充電の制御は、充電制御部１９によりされ、充電が完了するとこの信号を制御部１３に出力する。
【００２６】
さて次に、実際の使用手順に基づいて、各部の動作を説明する。
まず、制御部１３は電源スイッチ１０からの電源ＯＮの信号を検知すると、タイマー部１５、超音波発信器１４と、、バイブモータ２１と、イオン電流制御部２０へ起動信号を出力する。
この信号を検知したタイマー部１５は、所定時間（例えば、３分間）の計測を開始し、計測終了後に終了信号を制御部１３に出力する。
【００２７】
また、超音波振動子８は、同時に起動信号を検知した超音波発信器１４により、超音波周波数（例えば、２００万ヘルツ）で発信した駆動電流が印加される。また、バイブモータ２１の駆動により本体部１に機械的な振動が与えられる。また、起動信号を検知したイオン電流制御部２０は、本体外表面に設けられた電極部であるプラス電極１１と、ブラシヘッド部２Ａを通過し一部が外部に露出されている受振板４（マイナス電極）との間に電圧を印加し、結果的に歯の表面にイオンを発生させる。
【００２８】
すなわち、イオン発生手段となる受振板４とホーン３とイオン電流制御部２０と本体外表面に設けられたプラス電極１１と電源部１６とが、人体（例えば人の手）を介して相互に導通されてイオンを発生するのである。
ただし、イオン発生時の電流は、歯の表面及び手との接触抵抗により変化するので、イオン電流制御部２０により、制御される。
【００２９】
なお、イオン歯ブラシとしての機能は、後ほど述べるが、ここでは超音波歯ブラシとしての動作を更に詳しく説明する。
超音波振動子８は、超音波発信器１４が発信した駆動電流により、所定の超音波周波数で振動が開始される。
この振動は、後述するように、超音波振動子８と一体に取り付けられたホーン３に伝達され、次に、ブラシヘッド部２Ａに一体化されている受振板４へと伝わる。
ここで超音波歯ブラシの構造的な特徴について述べると、ホーン３は、超音波振動子８から起立状に延びて、本体部１の頭部９から、外方に突出している。
【００３０】
図４は、本体部１の頭部９より突出した状態のホーン３を一部破断で示し、（Ａ）は一部破断平面図、また（Ｂ）は一部破断側面図である。
そして、ホーン３は、先端から一定の範囲が縮小されて縮小部３Ａとなっており（図２参照）、その断面は半円状に形成されている。
ここで、縮小部３Ａの弧状部分にはＵ溝又はＶ溝等の複数の切り欠き溝３Ａ２が形成されており、この切り欠き溝３Ａ２が３個あることにより超音波の伝達効率が極めて良くなることを実験で確かめている。
切り欠き溝の少なくとも一つが受振板と対応する位置に配置されていることが好ましい。
【００３１】
ところで、本体部１からブラシ部２へは超音波振動が効率よく且つ的確に伝達されなければならない。
そのために、ブラシ部２は、本体部１との間において、第１の支持場所と第２の支持場所との二箇所で支持された状態で脱着可能に取付けられている。
第１の支持場所は、本体部１の頭部９の中央付近とブラシ部２の下端部との間である。
【００３２】
図５、及び図６に第１の支持場所におけるブラシ部２と本体部１との取付け関係を平面図及び側面図で示す。
図５は圧入前の状態を、また図６は圧入後の状態を示す。
ブラシ部２は中空になっており、ブラシ毛５を有する部分であるブラシヘッド部２Ａと、そのブラシヘッド部２Ａからやや末広がりに下方に延びている脚部２Ｂとよりなる。
そして、この中空の脚部２Ｂは端部に一対の舌片Ｔを備えており、この舌片Ｔが、本体部１の頭部９に外挿圧入される。
【００３３】
頭部９は、本体部１から恰も象鼻のように、先方に細くなって延びるように形成されており、この中央外周付近に上記脚部２Ｂの一対の舌片Ｔを受ける入れるための一対の受け溝Ｇが形成されている。
本体部１の頭部９をブラシ部２に挿入すると、ブラシ部２の脚部２Ｂの舌片Ｔが、この受け溝Ｇに外側から嵌まり込むと同時に圧入状態となって取り付けられる。
しかも、舌片Ｔと受け溝Ｇとは相互に噛み合っているために、両者間での回動等の緩みは全く生じない。
また頭部９をブラシ部２に挿入する際は、先細状になった舌片Ｔが頭部９の受け溝Ｇに自然に誘導されるために、位置決めが行い易い。
【００３４】
一方、第２の支持場所は、ブラシ部２のブラシヘッド部２Ａに一体に埋め込まれて取り付けられた受振板４と、超音波振動子８から突設しているホーン３の先部との間である。
なお、超音波振動子８は、円盤状となっており、本体部１の頭部９から起立した複数の支持片９１により数カ所にて保持されている。
ブラシ部２のブラシヘッド部２Ａの中に本体部１のホーン３が挿入された状態では、ホーン３はブラシヘッド部２Ａに埋め込まれた受振板４に強く接していなければならない。
【００３５】
このようにホーン３が受振板４に強く接することで、ホーン３から受振板４に効率良く超音波振動が伝達されるのである。
そのために、本発明では、受振板４が埋め込まれた位置とは反対側のブラシヘッド部内壁にリブ状突起Ｐが設けられている。
ホーン３は、その先端が、このリブ状突起Ｐと受振板４との間に圧入支持されている状態となる。
ホーン３は、その縮小部３Ａに形成された円弧面でリブ状突起Ｐと接しているために、両者の接触面積は極めて限られたものとなっている。
【００３６】
図７及び図８は、第２の支持場所において、ホーン３と受振板４との関係を示したものである。
図７は、受振板４とリブ状突起Ｐの間にホーン３が圧入される前の状態を示す図であり、（Ａ）は縦断面を（Ｂ）はそのＢ−Ｂ断面を示す。
【００３７】
また図８は、受振板４とリブ状突起Ｐの間にホーン３が圧入された後の状態を示す図であり、（Ａ）は縦断面を（Ｂ）はそのＢ−Ｂ断面を示す。
ホーン３の先端は傾斜を有するテーパ部３Ａ１となっているために、これがホーン３がリブ状突起Ｐに乗り上げる際の案内役となる。
ここで、超音波振動の伝達の観点からいうと、リブ状突起Ｐにホーン３が圧接していることから、超音波振動の伝達がありえるが、ブラシ部２は長い脚部２Ｂを介して本体部１と第２の支持場所にて支持されているために、この第２の支持場所で振動伝達が殆ど中断される。
【００３８】
以上述べたように、本体部１とブラシ部２とは、第１の支持場所と第２の支持場所との二箇所により支持されており、それ以外の部分では接していない。
しかも第２の支持場所においては、ホーン３は、その先端部でリブ状突起Ｐと受振板４とで僅かに接するだけである。
因みに、ホーン３は、基部を超音波振動子８に固定されており、それ以外は本体部１の壁にも接触していない。
ただ、ホーン３が本体部１の頭部先端から突出する部分においては、ブラシヘッド部内の空隙を通して液が本体部の中に逆流しないように、可撓性パッキング６により封鎖されている（図４参照）。
【００３９】
このようなことから、ホーン３に関していえば、第２の支持場所の一箇所だけで支持されることとなり、他の部分との接触範囲は極めて少ない。
その結果、ホーン３からブラシヘッド部２Ａに埋め込まれた受振板４に、的確に且つ効率良く超音波振動が伝わって、その振動エネルギーが拡散し減衰することが回避される。
また因みに、バイブモータ２１による本体部１の振動が加わっても、本体部１からブラシ部２が抜け出すことはない。
【００４０】
第１の支持場所は、ブラシ部２と本体部１とが外れないように一体化する役割を果たし、第２の支持場所は、同様に外れない役割と、超音波振動を受振板４に効率よく伝達するための役割とを果たすものである。
また、超音波振動伝達方法が、振動源である超音波振動子８とホーン３とは、例えば半田付け等により一体化されているため、ホーン３から受振板４への一つの接合点を介する伝達だけで済み、超音波振動の伝達効率が、先述したような従来の超音波歯ブラシに比べ改善されることがわかろう。
【００４１】
さて、ブラシ部２の受振板４は、ブラシヘッド部２Ａ（通常はプラスチックで形成されている）に対してインサート一体成形により埋め込まれているが、その際、受振板４の一部に突起を形成することで両者の一体化はより確実なものとなることはいうまでもない。
受振板４は、少なくとも一部がブラシヘッド部２Ａを通過して外部に露出していることで（なお、この露出した部分にブラシ毛が植毛されている）、超音波振動が、直接、口腔内の唾液や液状化した歯磨き剤に的確に伝達されキャビテーションを発生させる。
【００４２】
また、同時にキャビテーションを起こして、結果的にブラシ毛５を微細に振動させ、歯に接触したブラシ毛５と歯との間に微細振動による摩擦作用を発生させることなる。
このことにより、歯の表面に付着している歯垢は、このキャビテーション効果と摩擦作用で歯の表面への結合力が弱まって容易に除去される。
【００４３】
さて、上述のキャビテーション効果による歯垢除去の動作が繰り返されるが、その後一定時間して、制御部１３には、電源ＯＮから所定時間が経過したことによりタイマー部１５からの終了信号が入力される。
超音波振動子８への駆動電流を発生している超音波発信器１４は、終了信号を検知した制御部１３からの発信停止信号により、駆動電流の発生が停止される。
その結果、超音波振動子８の振動が、停止されることとなる。
【００４４】
次にイオン歯ブラシとしてのイオン発生機能について述べる。
本発明は、マイナスイオン作用を有するものとしての機能を有することも可能である。
図１に示すように、イオン歯ブラシとしては、手で把持される本体部１と交換可能なブラシ部２との間で、口内を介して導通されるものである。
本体部１の手で把持される部分には、前述したように、手と接触する電極部（例えば金属板）であるプラス電極１１が設けられている。
【００４５】
なお、プラス電極１１は、握った場合に手と接触し易いか否かの観点から、ブラシ毛の植え込み方向とは垂直方向にある本体外表面の位置に設けることが好ましい。
ここで、本体部１を手で握った場合、バイブモータ２１により機械的振動が加わっているために、握り力を強くする傾向があり、そのためにプラス電極１１に強く接触する。
結果的に、次に述べるように電流の導通が確実になるのである。
プラス電極１１は、後述する、微弱な口内電流を流す一方の電極となるものであり、本体部１内に配置された超音波信号発生手段７を構成するイオン電流制御部２０を介して、電源部１６に導通される。
【００４６】
マイナス電極である導電性の受振板４（例えばジュラルミン）は、本体部１の導電性のホーン３（例えばジュラルミン）と、イオン電流制御部２０を介して、電源部１６に導通される。
受振板４は、先述したように、多数のブラシ毛５が植毛されているブラシヘッド部２Ａから一部が外部に露出されている。
露出した受振板４に、唾液や液状化した歯磨き剤が接することによって、電源（イオン電流制御部２０を介して）のプラス極、プラス電極１１（図１参照）、手、歯茎（少なくとも歯）、受振板４、ホーン３、電源（イオン電流制御部２０を介して）のマイナス極の閉回路が形成されて口内電流がマイナスイオンとなって流れる（　図９参照）　。
【００４７】
この口内電流は、イオン化傾向を持つ歯垢の歯面との架橋結合を緩めて離れ易くするが、先述した超音波振動でキャビテーションを発生させるために、該架橋結合が更に解け易くなり、両作用の相乗効果が生じる。
そのためより確実にマイナスイオンによる歯垢を除去する効果が発揮されることになる。
なお、ブラシ毛５には、例えばトルマリンが配合されていることにより、受振板４での超音波振動から、ブラシヘッド部２Ａのボデーを介してブラシ毛５に圧力が加えられことで、効率良くマイナスイオンが発生させられる。
さらには、キャビテーションによる衝撃波が、ブラシ毛５に加わることでもマイナスイオンが発生させられる。
【００４８】
本発明は、上述した実施の形態に限られるものではなく、その目的に則したものであれば種々の変形が可能である。
例えば、本発明の超音波歯ブラシにおいて、超音波信号発生手段を内蔵する本体部の形状は、握り易くするために種々の形状の選択が可能である。
例えば、子供用としては、大人用より小さく、また幼児用よりはやや大きくすることが好ましい。
また、本発明の超音波信号発生手段としては、図３に示すものに限るものではなく、例えば、電源部の電源は、一次電池、二次電池又は外部からの電源でもよい。
またＬＥＤの発光色や発光方法も、本実施の形態に制限されるものではない。また、充電用の端子は、充電コイルに変えて誘導起電力を利用したものも当然可能である。
【００４９】
【発明の効果】
以上説明したように、本発明の超音波歯ブラシは、超音波振動によるキャビテーション効果を利用して歯垢を除去することができる。
また、超音波振動の伝達効率が良く、キャビテーション作用もより効果的に発揮される。
また、バイブモータにより振動を実感させることで歯を磨いている状態を強く認識させることができる。
【図面の簡単な説明】
【図１】図１は、本発明の実施の形態の超音波歯ブラシを示す外観図である。
【図２】図２は、超音波歯ブラシの前半部分を示す断面図であり、（Ａ）は平面断面図、（Ｂ）は側面断面図である。
【図３】図３は、超音波信号発生手段を示すブロック図である。
【図４】図４は、本体部１の頭部９より突出した状態のホーンを一部破断で示し、（Ａ）は一部破断平面図、また（Ｂ）は一部破断側面図である。
【図５】図５は、第１の支持場所におけるブラシ部と本体部との取付け関係を示す圧入前の図であり、（Ａ）は平面図、（Ｂ）は側面図を示す。
【図６】図６は、第１の支持場所におけるブラシ部と本体部との取付け関係を示す圧入後の図であり、（Ａ）は平面図、（Ｂ）は側面図を示す。
【図７】図７は、受振板とリブ状突起の間にホーンが圧入される前の状態を示す図であり、（Ａ）は縦断面を（Ｂ）はそのＢ−Ｂ断面を示す。
【図８】図８は、受振板とリブ状突起の間にホーンが圧入された後の状態を示す図であり、（Ａ）は縦断面を（Ｂ）はそのＢ−Ｂ断面を示す。
【図９】図９は、イオン作用を説明する図である。
【符号の説明】
１…本体部
２…ブラシ部
２Ａ…ブラシヘッド部
２Ｂ…脚部
３…ホーン
３Ａ…縮小部
３Ａ１…テーパ部
３Ａ２…切り欠き溝
４…受振板
５…ブラシ毛
６…可撓性パッキング
７…超音波信号発生手段
８…超音波振動子
９…頭部
９１…支持片
１０…電源スイッチ
１１…プラス電極（電極部）
１３…制御部
１４…超音波発信器
１５…タイマー部
１６…電源部
１７…充電池
１８…充電端子
１９…充電制御部
２０…イオン電流制御部
２１…バイブモータ
Ｇ…受け溝
Ｐ…リブ状突起
Ｔ…舌片
【図１】
2004041691.tif 000003
【図２】
2004041691.tif 000004
【図３】
2004041691.tif 000005
【図４】
2004041691.tif 000006
【図５】
2004041691.tif 000007
【図６】
2004041691.tif 000008
【図７】
2004041691.tif 000009
【図８】
2004041691.tif 000010
【図９】
2004041691.tif 000011